(57)【要約】【課題】安全ピンのような金属を使用せずに、簡単に衣服等に取り付け・取り外しができるコサージュを提供する。【解決手段】コサージュ本体（２，２Ａ，２Ｂ）と、コサージュ取付テープ（３，３Ａ，３Ｂ）からなり、前記コサージュ取付テープ（３）に少なくとも一対の合成樹脂製スナップボタン（４，４Ａ，４Ｂ）が射出成形により直接取り付けられているコサージュ（１）である。例えば、コサージュ取付テープ（３）の両端に一対のスナップボタン（４）が取り付けられたもの、コサージュ取付テープ（３Ａ）の両端それぞれに一対のスナップボタン（４Ａ）が取り付けられているもの、コサージュ取付テープ（３Ｂ）の一端のみに一対のスナップボタン（４Ｂ）が取り付けられているものがある。【選択図】図１
0003127395.tif 000002
【実用新案登録請求の範囲】
【請求項１】
コサージュ本体（２，２Ａ，２Ｂ，２Ｃ）と、コサージュ取付テープ（３，３Ａ，３Ｂ，３Ｃ）からなり、前記コサージュ取付テープ（３，３Ａ，３Ｂ，３Ｃ）には少なくとも一対の合成樹脂製スナップボタン（４，４Ａ，４Ｂ，４Ｃ）が射出成形により直接取り付けられていることを特徴とするコサージュ（１，１Ａ，１Ｂ，１Ｃ）。
【請求項２】
コサージュ取付テープ（３）の両端に一対の前記スナップボタン（４）が取り付けられている請求項１記載のコサージュ（１）。
【請求項３】
コサージュ取付テープ（３Ａ）の両端それぞれに一対の前記スナップボタン（４Ａ）が取り付けられている請求項１記載のコサージュ（１Ａ）。
【請求項４】
コサージュ取付テープ（３Ｂ，３Ｃ）の一端のみに一対の前記スナップボタン（４Ｂ，４Ｃ）が取り付けられている請求項１記載のコサージュ（１Ｂ，１Ｃ）。
【請求項５】
一対の前記スナップボタン（４Ｃ）が取り付けられていない側のコサージュ取付テープ（３Ｃ）にボタン穴（３３）が設けられている請求項４記載のコサージュ（１Ｃ）。
【考案の詳細な説明】
【技術分野】
【０００１】
本考案はコサージュに関し、特に、衣服等への固定の仕方に特徴を有するコサージュに関する。
【背景技術】
【０００２】
従来、衣服等の装飾品として、布地を一定形状にデザインしたコサージュが広く用いられている。コサージュを衣服等へ固定するには、一般には安全ピンが一番多く用いられているようである（例えば、下記特許文献１参照）。その他、糸で直接縫い付けることも行われている。
【特許文献１】特開２００１−２５８６１５
【考案の開示】
【考案が解決しようとする課題】
【０００３】
安全ピンは、尖ったピン先を有するので、子供はもちろん大人でも取り扱っているときに不用意にピン先で指を傷つけることがある。できれば、このような鋭いピン先を有する金属を人体に近づけない方がよい。
【０００４】
糸で直接縫い付ける方法は、洗濯のたびに取り外さなければならないという不便がある。
【０００５】
本考案は、安全ピンのような金属を使用せずに、簡単に衣服等に取り付け・取り外しができるコサージュを提供することを目的とする。
【課題を解決するための手段】
【０００６】
本考案のコサージュは、コサージュ本体と、コサージュ取付テープからなり、前記コサージュ取付テープには少なくとも一対の合成樹脂製スナップボタンが射出成形により直接取り付けられていることを特徴とする。
【考案の効果】
【０００７】
本考案によれば、コサージュはコサージュ取付テープに設けられた少なくとも一対のスナップボタンを係合することにより衣服等に固定される。テープに直接付着させたスナップボタンには鋭利な部分が存在しないので安全であり、洗濯などの際、コサージュのみを取り付けたり、取り外したりするのが極めて容易である。
【考案を実施するための最良の形態】
【０００８】
コサージュ本体は、どのようなデザインのものであってもよい。市販されている多種多様なものをそのまま採用できるし、自ら創作したものであってもよい。
【０００９】
コサージュ取付テープは、スナップボタンを射出成形により付着させられる幅があるテープ状のものであれば、どのようなものでもよい。コサージュが大きくて重量があるときには２本以上のコサージュ取付テープを使用することもできる。
【００１０】
スナップボタンとしては、「Ｏリングテーピー」（商標）として知られる本出願人製造販売の合成樹脂製品が好ましい。このスナップボタンの詳細な構造は、特許３６０４９８３号特許公報に記載されているように、雌雄ボタンを構成する樹脂が直接射出成形によりテープに付着されている。外観的な特徴は、雌雄ボタンが共に、表から見ても裏から見てもリング状であることである。この樹脂製スナップボタンは、金属製スナップボタンよりも軽量で感触が温かく、人の肌にとって刺激物となる係合用突起がほとんど目立たないので、本考案の目的に特に適している。
【００１１】
スナップボタンは、取付テープに対して一対あれば、衣服のボタン穴等に通して取付テープをリング状にした後、スナップボタンを係合することにより固定可能である。
【００１２】
しかし、二対設ければ、取付テープの両端それぞれでスナップボタンを係合することもできる。取付テープを取り付ける距離が長いときに、特に便利である。その他、テープの一端を生地に縫い付けたり、ボタン止めしたりすることもできる。
【実施例１】
【００１３】
以下、添付の図面に基づき、本考案の実施例を説明する。
【００１４】
図１は、本考案の第１実施例に係るコサージュ本体２とその取付用テープ３からなるコサージュ１の正面図である。図２は、同背面図である。図３は、取付用テープ３の末端同士を接合した状態の斜視図である。
【００１５】
これらの図に示すように、本考案のコサージュ１は、コサージュ本体２とその取付テープ３からなる。
【００１６】
コサージュ本体２は、どのようなデザインのものであってもよい。図示の例は結んだリボンをデザインしたものである。その他、花をデザインしたものが使用されることが多い。
【００１７】
コサージュ取付テープ３は、１本のテープであり、中央部においてコサージュ本体の背後に糸３１で固着されている。テープの両端にはスナップボタン４が取り付けられている。
【００１８】
ここで使用するスナップボタン４は、「Ｏリングテーピー」（商標）として知られる本出願人製造販売の合成樹脂製品である。
【００１９】
図４は、取付テープ３を衣服に取り付ける１方法を示している。図４は、生地末端５のボタン穴６などを利用してコサージュ１を取り付けるもので、ボタン穴６にコサージュ取付テープ３を通し、雌雄スナップボタン４で固定している。
【実施例２】
【００２０】
図５は、本考案の第２実施例を示す正面図である。取付テープ３Ａの両端に雌雄スナップボタン４Ａを一対ずつ取り付けている。スナップボタン４Ａは第１実施例で使用したものと同じものを使用することができる。
【００２１】
これを衣服に取り付けるには、生地末端５のボタン穴６などにコサージュ取付テープ３Ａを通し、各対の雌雄スナップボタン４Ａで固定する。
【実施例３】
【００２２】
図６は、本考案の第３実施例を示す正面図である。取付テープ３Ｂの片側３２は、生地５に縫い付け、他端には一対の雌雄スナップボタン４Ｂを取り付けている。スナップボタン４Ｂは第１実施例で使用したものと同じものを使用することができる。
【００２３】
これを衣服に取り付けるには、非固定側のコサージュ取付テープ３Ｂを生地末端５のボタン穴６などに通し、雌雄スナップボタン４Ｂで固定する。
【実施例４】
【００２４】
図７は、本考案の第４実施例を示す正面図である。取付テープ３Ｃの片側にはボタン穴３３を設け、生地側のボタン７で留める。他端には一対の雌雄スナップボタン４Ｃを取り付けている。スナップボタン４Ｃは第１実施例で使用したものと同じものを使用することができる。
【００２５】
これを衣服に取り付けるには、コサージュ取付テープ３Ｃの左側において、生地のボタン７をコサージュ取付テープのボタン穴３３に係合させ、右側において、コサージュ取付テープ３Ｃを生地末端５のボタン穴６に通し、雌雄スナップボタン４Ｃで固定する。
【図面の簡単な説明】
【００２６】
【図１】本考案の第１実施例に係るコサージュ本体２とその取付テープ３からなるコサージュ１の正面図である。
【図２】同背面図である。
【図３】取付用テープ３の末端同士を接合した状態の斜視図である。
【図４】第１実施例に係るコサージュを生地に取り付けた状態の正面図である。
【図５】本考案の第２実施例に係るコサージュを生地に取り付けた状態の正面図である。
【図６】本考案の第３実施例に係るコサージュを生地に取り付けた状態の正面図である。
【図７】本考案の第４実施例に係るコサージュを生地に取り付けた状態の正面図である。
【符号の説明】
【００２７】
１，１Ａ，１Ｂ，１Ｃ        コサージュ
２，２Ａ，２Ｂ，２Ｃ        コサージュ本体
３，３Ａ，３Ｂ       ，３Ｃ        コサージュ取付テープ
４，４Ａ，４Ｂ，４Ｃ        スナップボタン
５     生地末端
６     ボタン穴
７     ボタン穴
【図１】
0003127395.tif 000003
【図２】
0003127395.tif 000004
【図３】
0003127395.tif 000005
【図４】
0003127395.tif 000006
【図５】
0003127395.tif 000007
【図６】
0003127395.tif 000008
【図７】
0003127395.tif 000009